(57)【特許請求の範囲】
【請求項１】
複数のセクションを含むストリームデータを送信し前記複数のセクションによって構築されるサブテーブルを伝送するデジタル放送を受信する受信装置において、
受信信号から前記ストリームデータを得る受信手段と、
前記サブテーブルを構築する複数のセクションのそれぞれが受信済みか否かを示す受信情報を記憶する記憶手段と、
前記受信情報に基づいて、前記受信手段が得たストリームデータに含まれる複数のセクションのうち、受信済みでない第１セクションを検出し、受信済みであるセクションを破棄する検出手段と、
前記第１セクションに誤りがあるか否かを判定する判定手段と、
前記第１セクションに誤りがないとき、当該第１セクションを用いて前記サブテーブルを構築するセクション処理手段と、
前記第１セクションに誤りがないとき、前記第１セクションが受信済みであることを示す受信情報を前記記憶手段に記録する記録手段とを具備することを特徴とする受信装置。
【請求項２】
前記検出手段は、前記サブテーブルが完成した場合、前記ストリームデータを破棄し、前記サブテーブルが完成していない場合、前記受信情報に基づいて、前記ストリームデータに含まれる複数のセクションのうち、受信済みでない第１セクションを検出し、受信済みであるセクションを破棄する請求項１記載の受信装置。
【請求項３】
複数のセクションを含むストリームデータを送信し前記複数のセクションによって構築されるサブテーブルを伝送するデジタル放送を受信する受信装置において、
受信信号から前記ストリームデータを得る受信手段と、
前記サブテーブルを構築する複数のセクションのそれぞれが受信済みか否かを示す受信情報を記憶する記憶手段と、
前記受信情報に基づいて、前記受信手段が得たストリームデータに含まれる複数のセクションのうち、受信済みでない第１セクションを検出し、受信済みであるセクションを破棄する検出手段と、
前記第１セクションに誤りがあるか否かを判定する判定手段と、
前記第１セクションに誤りがないとき、当該第１セクションを用いて前記サブテーブルを構築するセクション処理手段と、
前記第１セクションに誤りがないとき、前記第１セクションを前記セクション処理手段に出力する出力手段と、
前記出力手段が出力した前記第１セクションが受信済みであることを示す受信情報を前記記憶手段に記録する記録手段とを具備することを特徴とする受信装置。
【請求項４】
前記検出手段は、前記サブテーブルが完成した場合、前記ストリームデータを破棄し、前記サブテーブルが完成していない場合、前記受信情報に基づいて、前記ストリームデータに含まれる複数のセクションのうち、受信済みでない第１セクションを検出し、受信済みであるセクションを破棄する請求項３記載の受信装置。
【発明の詳細な説明】
【技術分野】
【０００１】
この発明は、例えば地上デジタル放送などの受信に用いられる受信装置に関する。
【背景技術】
【０００２】
周知のように、地上デジタル放送などのデジタル放送では、付属情報である番組情報等のサブテーブルを伝送する場合、Section形式を用いてTS(Transport Stream)で伝送される。このSection形式において、TSへのマッピングについては、Single Section形式とMulti Section形式の2種類が存在する。Multi Section形式では、1つのTSに複数のSectionが含まれており、Section毎にCRC(Cyclic Redundancy Check)が付与されている。
【０００３】
従来の受信装置では、上記Multi SectionのTSの受信処理において、多重分離装置（Demux）を用い、ここでSectionフィルタ条件に合致したTSに含まれるセクションを受信処理する。そしてこの受信処理では、全てのセクションについてそれぞれCRCを含めた処理を行い、有効と判定されたセクションを後段に出力する。
【０００４】
しかしながら従来の受信処理では、CRCで無効と判定されたセクションがある場合には、次の機会に再びTSに含まれる全てのセクションについて受信処理を行うため、演算処理、転送処理等のリソースが無駄となり消費電力を浪費するという問題があった。
【発明の開示】
【発明が解決しようとする課題】
【０００５】
従来の受信装置では、Multi Section形式でマッピングされたTSを受信処理する場合に、受信リソースを無駄に動作させるため、消費電力を浪費しているという問題があった。  この発明は上記の問題を解決すべくなされたもので、Multi Section形式でマッピングされたTSを受信処理する場合でも、受信リソースを効率的に利用して消費電力の浪費を抑制することが可能な受信装置を提供することを目的とする。
【課題を解決するための手段】
【０００６】
上記の目的を達成するために、この発明は、複数のセクションを含むストリームデータを送信し複数のセクションによって構築されるサブテーブルを伝送するデジタル放送を受信する受信装置において、受信信号から前記ストリームデータを得る受信手段と、サブテーブルを構築する複数のセクションのそれぞれが受信済みか否かを示す受信情報を記憶する記憶手段と、受信情報に基づいて、受信手段が得たストリームデータに含まれる複数のセクションのうち、受信済みでないセクションを検出し、受信済みであるセクションを破棄する検出手段と、第１セクションに誤りがあるか否かを判定する判定手段と、第１セクションに誤りがないとき、第１セクションを用いてサブテーブルを構築するセクション処理手段と、第１セクションに誤りがないとき、第１セクションが受信済みであることを示す受信情報を記憶手段に記録する記録手段とを具備して構成するようにした。
【発明の効果】
【０００７】
この発明によれば、Multi Section形式でマッピングされたストリームデータを受信処理する場合でも、受信リソースを効率的に利用して消費電力の浪費を抑制することが可能な受信装置を提供できる。
【発明を実施するための最良の形態】
【０００８】
以下、図面を参照して、この発明の一実施形態について説明する。ここでは、この発明に係わるデジタル放送の受信装置の一例として、携帯電話機などの移動無線端末装置に搭載されるデジタル放送チューナを例に挙げて説明する。  
図１は、上記移動無線端末装置の構成を示すブロック図である。この移動無線端末装置は、移動通信システムの基地局装置CＳおよび移動通信網ＮＷを通じて通信する通信機能と、放送局ＢＳから放送されるデジタル放送信号を受信する受信機能を備えたものであって、図１に示すように、主な構成要素として、内蔵アンテナ１と、無線通信部１０と、表示部２０と、通話部３０と、操作部４０と、記憶部５０と、デジタル放送受信部６０と、放送受信アンテナ６１と、Demux部７０と、セクション処理部８０と、ビデオデータ処理部９１と、オーディオデータ処理部９２と、データコンテンツ処理部９３と、制御部１００とを備える。
【０００９】
無線通信部１０は、内蔵アンテナ１を介して制御部１００の指示にしたがって移動通信網ＮＷに収容された基地局装置ＣＳと無線通信を行うものであって、音声データや電子メールデータなどの送受信、Ｗｅｂデータやストリーミングデータなどの受信を行う。
【００１０】
表示部２０は、制御部１００の制御により、画像（静止画像および動画像）や文字情報などを表示して、視覚的にユーザに情報を伝達するものである。  
通話部３０は、スピーカ３１やマイクロホン３２と接続され、マイクロホン３２を通じて入力されたユーザの音声を音声データに変換して制御部１００に出力したり、通話相手などから受信した音声データを復号してスピーカ３１から出力するものである。  
操作部４０は、複数のキースイッチなどを備え、これを通じてユーザから指示を受け付けるものである。
【００１１】
記憶部５０は、制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたストリーミングデータなどを記憶するものである。
【００１２】
デジタル放送受信部６０は、放送受信アンテナ６１を通じて放送局ＢＳから送信されるデジタル放送信号を受信し、これを復調してTS(Transport Stream)パケットを得る。このTSパケットは、TSヘッダ、ポインタフィールド、ペイロードなどからなる。ペイロードは、ビデオデータ、オーディオデータ、データ放送のデータコンテンツ、デジタル放送の付属情報である番組情報等のサブテーブル（PSIおよびSI）のいずれかを含んでいる。ここでは、上記サブテーブルは、放送局ＢＳにおいてTSパケットにMulti Section形式によりマッピングされたものとする。すなわち、サブテーブルを伝送するペイロードは、複数のセクションからなる。
【００１３】
なお、TSヘッダには、当該TSパケットのペイロードに含まれるデータの種別を示すPIDを含んでいる。また各セクションには、サブテーブル（PSIおよびSI）を構築するためのデータ（NIT、PAT、CAT、PMT、BIT、SDT、EIT、TOT）の他に、サブテーブルの属性を示すTable-id、セクションのデータ長を示すSection-length、当該TSパケットに含まれるセクションの数を示すSection分割数、バージョン、当該セクションをCRCするための検査ビットが含まれる。
【００１４】
Demux部７０は、デジタル放送受信部６０で得たTSパケットを、そのPIDに応じて選択的に後段に出力する振り分け処理を実施する。すなわち、PIDがサブテーブルを示す場合にはセクション処理部８０に出力し、ビデオデータを示す場合にはビデオデータ処理部９１に出力し、オーディオデータを示す場合にはオーディオデータ処理部９２に出力し、データコンテンツを示す場合にはデータコンテンツ処理部９３に出力する。
【００１５】
またDemux部７０は、入力端にPIDフィルタ７１を備える。このPIDフィルタ７１は、後述するセクション処理部８０などによってフィルタ条件が設定され、この条件を満たすPIDを有するTSパケットのみを通過させ、上述した振り分け処理を実施する。すなわち、Demux部７０は、上記フィルタ条件を満たすTSパケットについてのみ振り分け処理を行う。
【００１６】
そしてDemux部７０は、CRCに基づいて正常に受信したセクションを管理する管理テーブルを記憶し、この管理テーブルに基づいて、TSパケットから必要とするセクションのみを選択的にセクション処理部８０に出力する機能を新たに備える。この機能については、後に詳述する。
【００１７】
セクション処理部８０は、Demux部７０から出力されたTSパケットのペイロードに含まれるセクションに基づいて、サブテーブルを構築する。具体的には、セクション処理部８０が備えるメモリに、複数のセクションからそれぞれ取得したサブテーブルを構成する情報を蓄積してサブテーブルを構築する。
【００１８】
そして、セクション処理部８０は、サブテーブルが完成したか否かに応じて、Demux部７０に対してフィルタ条件を設定する。すなわち、サブテーブルが完成した場合には、サブテーブルのペイロードについてはDemux部７０が振り分け処理を実行しないように、PIDフィルタ７１のフィルタ条件を設定する。
【００１９】
ビデオデータ処理部９１は、Demux部７０から与えられるビデオデータを復号するとともにビデオ信号に復調し、上記制御部１００の指示にしたがって、図示しないドライバを介して上記ビデオ信号に基づく映像を表示部２０に表示する。
【００２０】
オーディオデータ処理部９２は、Demux部７０から与えられるオーディオデータを復号するとともにオーディオ信号に復調し、上記制御部１００の指示にしたがって、図示しないドライバを介して上記オーディオ信号に基づく音声を図示しないスピーカより拡声出力する。
【００２１】
データコンテンツ処理部９３は、Demux部７０から与えられるデータコンテンツを復号し、上記制御部１００の指示にしたがって、図示しないドライバを介して復号したデータに基づく映像を表示部２０に表示する。
【００２２】
制御部１００は、マイクロプロセッサを備え、記憶部５０が記憶する制御プログラムや制御データにしたがって動作し、当該移動無線端末装置の各部を統括して制御し、音声通信やデータ通信を実現するものである。また制御部１００は、記憶部５０が記憶するアプリケーションソフトウェアにしたがって動作し、電子メールの送受信や、Ｗｅｂブラウジング、ダウンロードしたストリーミングデータに基づいて動画像を表示部２０に表示する通信制御機能や、地上デジタル放送を受信する機能を備える。
【００２３】
次に、上記構成の移動無線端末装置の動作について説明する。以下の説明では、移動通信網ＮＷを通じた通信についての説明は省略し、地上デジタル放送の受信に関する放送受信処理について説明する。この放送受信処理は、制御部１００が、操作部４０を通じたユーザから地上デジタルを受信する要求があったり、予め設定されたタイマ録画の時刻が到来したことを検出した場合に、地上デジタル放送の受信に関わる各部６０，７０，８０，９１〜９３などを起動することで開始され、電源が切られたり、録画終了時刻が到来するなどのイベント発生により終了される。
【００２４】
デジタル放送受信部６０は、制御部１００によって起動されると、放送受信アンテナ６１を通じて放送局ＢＳから送信されるデジタル放送信号を受信し、これを復調してTSパケットを得る。このTSパケットは、Demux部７０に出力される。  
Demux部７０は、制御部１００によって起動されると、図２に示すような処理を開始する。この処理は、制御部１００によって停止されるまでくり返し実行する。
【００２５】
まずステップ２ａにおいてDemux部７０は、セクション処理部８０からフィルタ条件の受付を開始し、ステップ２ｂに移行する。これによりDemux部７０は、これ以降、セクション処理部８０から設定されるフィルタ条件を随時受け付け、受け付けたフィルタ条件をPIDフィルタ７１に設定する。これにより、PIDフィルタ７１は、デジタル放送受信部６０から与えられるTSパケットのうち、設定されたフィルタ条件を満たすTSパケットのみを取り込む処理を開始する。
【００２６】
ステップ２ｂにおいてDemux部７０は、PIDフィルタ７１が取り込んだ新たなTSパケットを取得するとともに、このTSパケットからPIDを抽出し、ステップ２ｃに移行する。  
ステップ２ｃにおいてDemux部７０は、ステップ２ｂで取得したPIDを参照し、ペイロードがPSI/SIデータであるか否かを判定する。ここで、ペイロードの種別がPSI/SIデータの場合は、ステップ２ｈに移行し、一方、PSI/SIデータでない場合には、ステップ２ｄに移行する。
【００２７】
ステップ２ｄにおいてDemux部７０は、ステップ２ｂで取得したPIDを参照し、ペイロードの種別を判定する。ここで、ペイロードの種別がビデオデータの場合は、ステップ２ｅに移行し、オーディオデータの場合は、ステップ２ｆに移行し、あるいは、データコンテンツの場合は、ステップ２ｇに移行する。
【００２８】
ステップ２ｅにおいてDemux部７０は、ステップ２ｂで取得したペイロードをビデオデータ処理部９１に出力し、その後、ステップ２ｂに移行して、新たなTSパケットを取得する。なお、ビデオデータ処理部９１は、上記ペイロードに含まれるビデオデータをデコードしてビデオ信号を得る。
【００２９】
ステップ２ｆにおいてDemux部７０は、ステップ２ｂで取得したペイロードをオーディオデータ処理部９２に出力し、その後、ステップ２ｂに移行して、新たなTSパケットを取得する。なお、オーディオデータ処理部９２は、上記ペイロードに含まれるオーディオデータをデコードしてオーディオ信号を得る。
【００３０】
ステップ２ｆにおいてDemux部７０は、ステップ２ｂで取得したペイロードをデータコンテンツ処理部９３に出力し、その後、ステップ２ｂに移行して、新たなTSパケットを取得する。なお、データコンテンツ処理部９３は、上記ペイロードに含まれるデータコンテンツをデコードして種々のデータを得る。
【００３１】
ステップ２ｈにおいてDemux部７０は、セクションフィルタ条件を参照し、上記PSI/SIデータを取得すべきデータであるか否かを判定する。ここで、セクションフィルタ条件を満たすPSI/SIデータである場合には、ステップ２ｊに移行し、一方、セクションフィルタ条件を満たさないPSI/SIデータである場合には、ステップ２ｉに移行する。なお、上記セクションフィルタ条件は、初期化のタイミング、または、受信データの状況（たとえば、同一バージョンのデータが全て揃ったタイミング。）に応じて適宜設定される。
【００３２】
ステップ２ｉにおいてDemux部７０は、ステップ２ｂで取得したペイロードを破棄し、その後、ステップ２ｂに移行して、新たなTSパケットを取得する。  
ステップ２ｊにおいてDemux部７０は、ステップ２ｂで取得したペイロードに含まれるセクションを参照し、このセクションなどによって形成されるサブテーブル（番組情報など）に関する管理テーブルが既に作成されているか否かを判定する。ここで、上記管理テーブルが作成済みの場合には、ステップ２ｑに移行し、一方、まだ作成していない場合には、ステップ２ｋに移行する。なお、管理テーブルは、図３に示すように、後述する処理によってサブテーブル毎に作成され、Demux部７０が記憶する。
【００３３】
ステップ２ｋにおいてDemux部７０は、ステップ２ｂで取得したペイロードのうち、１つのセクションを選択し、CRC処理を実行して、ステップ２ｌに移行する。  
ステップ２ｌにおいてDemux部７０は、ステップ２ｋのCRC処理の結果を参照し、ステップ２ｋで選択したセクションにエラーが生じているか否かを判定する。ここで、エラーが生じている場合には、ステップ２ｍに移行し、一方、エラーが生じていない場合には、ステップ２ｎに移行する。
【００３４】
ステップ２ｍにおいてDemux部７０は、ステップ２ｂで取得したペイロードに、ステップ２ｋで選択したセクションに続くセクションがあるか否かを判定する。ここで、ステップ２ｋで選択したセクションに続くセクションがある場合には、ステップ２ｋに移行し、前回のステップ２ｋで選択したセクションに続くセクションを選択する。一方、ステップ２ｋで選択したセクションに続くセクションがない場合には、ステップ２ｂに移行して、新たなTSパケットを取得する。
【００３５】
ステップ２ｎにおいてDemux部７０は、ステップ２ｋで選択したセクションに含まれる情報から、ステップ２ｂで取得したペイロードに含まれるセクション総数を検出し、ステップ２ｏに移行する。  
ステップ２ｏにおいてDemux部７０は、ステップ２ｋで選択したセクションなどによって形成されるサブテーブルに関する管理テーブルを作成し、ステップ２ｐに移行する。
【００３６】
ステップ２ｐにおいてDemux部７０は、ステップ２ｋで選択したセクションとこのセクションが属するペイロードに付加されたPIDをセクション処理部８０に転送し、ステップ２ｑに移行する。
【００３７】
ステップ２ｑにおいてDemux部７０は、ステップ２ｂで取得したペイロードに含まれる残りのセクションについて取得処理を実施し、すべてのセクションについて処理を終了すると、ステップ２ｂに移行して新たなTSパケットを取得する。
【００３８】
次に、図４を参照して、ステップ２qに示した残りのセクションについて取得処理について説明する。  
まずステップ４ａにおいてDemux部７０は、ステップ２ｋで選択したセクションに続くセクションを選択し、ステップ４ｂに移行する。
【００３９】
ステップ４ｂにおいてDemux部７０は、ステップ４ａで選択したセクションなどによって形成されるサブテーブルに対応する管理テーブルを参照し、ステップ４ａで選択したセクションの識別情報に、未取得のセクションである旨を示すフラグが対応づけて記録されているか否かを判定する。ここで、未取得のセクションを示すフラグが記録されている場合には、ステップ４ｄに移行し、一方、取得済みのセクションを示すフラグが記録されている場合には、ステップ４ｃに移行する。
【００４０】
ステップ４ｃにおいてDemux部７０は、ステップ４ａで選択したセクションを破棄し、ステップ４ｊに移行する。  
ステップ４ｄにおいてDemux部７０は、ステップ４ａで選択したセクションにCRC処理を実行して、ステップ４ｅに移行する。
【００４１】
ステップ４ｅにおいてDemux部７０は、ステップ４ｄのCRC処理の結果を参照し、ステップ４ａで選択したセクションにエラーが生じているか否かを判定する。ここで、エラーが生じている場合には、ステップ４ｆに移行し、一方、エラーが生じていない場合には、ステップ４ｈに移行する。
【００４２】
ステップ４ｆにおいてDemux部７０は、ステップ４ａで選択したセクションに対応する管理テーブルにおいて、ステップ４ａで選択したセクションの識別情報に対応付けて取得済みである旨を示すフラグを記録し、ステップ４ｇに移行する。  
ステップ４ｇにおいてDemux部７０は、ステップ４ａで選択したセクションとこのセクションが属するペイロードに付加されたPIDをセクション処理部８０に転送し、ステップ４ｊに移行する。
【００４３】
一方、ステップ４ｈにおいてDemux部７０は、ステップ４ａで選択したセクションに対応する管理テーブルにおいて、ステップ４ａで選択したセクションの識別情報に対応付けて未取得である旨を示すフラグを記録し、ステップ４ｉに移行する。  
ステップ４ｉにおいてDemux部７０は、ステップ４ａで選択したセクションを破棄し、ステップ４ｊに移行する。
【００４４】
ステップ４ｊにおいてDemux部７０は、ステップ４ａで選択したセクションに対応する管理テーブルを参照し、すべてのセクションを取得したか否かを判定する。すなわち、サブテーブルを完成させるために必要なセクションを全てセクション処理部８０に転送したか否かを判定する。ここで、すべてのセクションを取得した場合には、当該処理を終了してステップ２ｂに移行し、一方、すべてのセクションを取得していない場合には、ステップ４ｋに移行する。
【００４５】
ステップ４ｋにおいてDemux部７０は、ステップ２ｂで取得したペイロードに含まれるすべてのセクションについて、取得／未取得の判定を行ったか否かを判定する。ここで、すべてのセクションについて上記判定を行った場合には、当該処理を終了してステップ２ｂに移行して新たなTSパケットを取得する。一方、まだ上記判定を行っていないセクションがある場合には、ステップ４ａに移行して、前回のステップ４ａで選択したセクションに続くセクションを選択する。
【００４６】
次に、図５を参照して、セクション処理部８０の動作について説明する。図５は、セクション処理部８０の動作を説明するフローチャートである。この処理は、セクション処理部８０が制御部１００によって起動されると、Demux部７０からセクションが入力される度にくり返し実行されるものであり、制御部１００によって停止されるまで実行される。
【００４７】
まずステップ５ａにおいてセクション処理部８０は、ステップ２ｐあるいはステップ４ｇによりDemux部７０から出力されるPIDとセクションを取得し、ステップ５ｂに移行する。
【００４８】
ステップ５ｂにおいてセクション処理部８０は、ステップ５ａで取得したセクションからtable_idを抽出し、このtable_idと上記PIDに基づいて、上記セクションに含まれるサブテーブルのデータの属性を検出する。そしてセクション処理部８０は、この属性にしたがって上記データをすでに取得したサブテーブルのデータに対応付けてメモリに記録し、ステップ５ｃに移行する。なお、取得済みのデータが無い場合には、上記属性を識別情報とし、これに上記データを対応付けてメモリに記録する。
【００４９】
ステップ５ｃにおいてセクション処理部８０は、メモリに記録しているサブテーブルの情報を参照し、サブテーブルが完成したか否かを判定する。ここで、サブテーブルが完成している場合には、ステップ５ｄに移行し、一方、サブテーブルが完成していない場合には、当該処理を終了して、次のセクションの入力を待機する。
【００５０】
ステップ５ｄにおいてセクション処理部８０は、サブテーブルが完成したことにより、Demux部７０に対してPIDフィルタ７１のフィルタ条件を設定して、ペイロードがPSI/SIデータのTSを取得しないようにし、当該処理を終了する。これに対してDemux部７０は、上記フィルタ条件をPIDフィルタ７１に設定し、これによりPIDフィルタ７１は、PIDがペイロードの種別としてPSI/SIデータを示す場合には、このTSを破棄する。
【００５１】
以上のように、上記構成の受信装置では、サブテーブルの構築に必要なセクションのうち、セクション処理部８０で未処理のセクションをDemux部７０で管理し、未処理のセクションについてのみCRC処理を施して、未処理かつエラーのないセクションのみをセクション処理部８０に出力するようにしている。
【００５２】
したがって、上記構成の受信装置によれば、ペイロードに含まれる複数のセクションのうち、いずれかにエラーが生じても、後のTSを受信した際に同じセクションについてセクション処理部８０が処理を行うことがない。すなわち、Multi Section形式でマッピングされたTSを受信処理する場合でも、セクション処理部８０などの受信リソースを効率的に利用して消費電力の浪費を抑制することができる。
【００５３】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００５４】
その一例として例えば、上記実施の形態では、この発明に係わるデジタル放送の受信装置を、携帯電話機などの移動無線端末装置に搭載される場合を例に挙げて説明したが、単体で受信装置として機能するデジタル放送チューナに適用することもできる。また移動無線端末装置に限らず、PDA(Personal Digital Assistance)やパーソナルコンピュータなど種々の電子機器に搭載されたデジタル放送チューナに適用することができる。  
その他、この発明の要旨を逸脱しない範囲で種々の変形を施しても同様に実施可能であることはいうまでもない。
【図面の簡単な説明】
【００５５】
【図１】この発明に係わる受信装置を搭載した移動無線端末装置の第１の実施の形態の構成を示す回路ブロック図。
【図２】図１に示した移動無線端末装置のDemux部の動作を説明するためのフローチャート。
【図３】図１に示した移動無線端末装置のDemux部が記憶する管理テーブルの一例を示す図。
【図４】図１に示した移動無線端末装置のDemux部の動作を説明するためのフローチャート。
【図５】図１に示した移動無線端末装置のセクション処理部の動作を説明するためのフローチャート。
【符号の説明】
【００５６】
１…内蔵アンテナ、１０…無線通信部、２０…表示部、３０…通話部、３１…スピーカ、３２…マイクロホン、４０…操作部、５０…記憶部、６０…デジタル放送受信部、６１…放送受信アンテナ、７０…Demux部、７１…PIDフィルタ、８０…セクション処理部、９１…ビデオデータ処理部、９２…オーディオデータ処理部、９３…データコンテンツ処理部、１００…制御部、ＢＳ…放送局、CＳ…基地局装置、ＮＷ…移動通信網。
【図１】
0005221179.tif 000002
【図２】
0005221179.tif 000003
【図３】
0005221179.tif 000004
【図４】
0005221179.tif 000005
【図５】
0005221179.tif 000006